(57)【要約】【課題】冷却パイプの内面に付着するダストを除去又はその付着を防止することができるガスクーラを提供すること。【解決手段】高温ガスを流通させる冷却パイプ２を外筒３内に鉛直に配備し、前記高温ガスを冷却する冷却媒体を冷却パイプ２と外筒３との空間に流通させるようにしたガスクーラ１において、冷却パイプ２の内部に索状体１０を垂下する。【選択図】図１
2008256303.tif 000002
【特許請求の範囲】
【請求項１】
高温ガスを流通させる冷却パイプを外筒内に鉛直に配備し、前記高温ガスを冷却する冷却媒体を冷却パイプと外筒との空間に流通させるようにしたガスクーラにおいて、冷却パイプの内部に索状体を垂下したことを特徴とするガスクーラ。
【請求項２】
索状体を、鎖状に連結したチェーンとしたことを特徴とする請求項１記載のガスクーラ。
【請求項３】
索状体を振動又は回転させる駆動機構を配設したことを特徴とする請求項１又は２記載のガスクーラ。
【発明の詳細な説明】
【技術分野】
【０００１】
本発明は、ガスクーラに関し、特に多管式のガスクーラの冷却パイプの内面に付着するダストを除去又はその付着を防止するガスクーラに関するものである。
【背景技術】
【０００２】
従来、ガスクーラは、電気炉、高炉、キューポラ、溶解炉などから排出される高温ガスを集塵機に導入する前に所定の温度まで冷却するために汎用されている。
具体的には、図４〜図５に示すように、電気炉８などから排出される高温ガスを、ダクトを介して、給気口６からガスクーラ１’内に導入し、内部で冷却し、所定の温度に冷却されたガスを、排気口７から集塵機９に送るようにしている。
このガスクーラ１’は、仕切り板４によって外筒３の内部を区分し、冷却室５を形成するとともに、冷却室５内に多数の高温ガスを流通させる冷却パイプ２を配設する。
そして、気体又は液体の冷却媒体、例えば、工場用水などの冷却媒体を、冷却媒体導入口ＷＩを介して、冷却室５内に導入し、冷却パイプ２の外表面と接触させることによって熱交換を行い、冷却媒体導出口ＷＯから導出させる。
これによって、高温ガスを所定の温度まで冷却し、集塵機の濾布が高温ガスによって焼失する等の不具合を防止するようにしている（例えば、特許文献１参照）。
【０００３】
ところで、このガスクーラ１’の冷却パイプ２は、内部を通過する高温ガスのダストが付着し、目詰まりを起こしやすく、定期的に冷却パイプ２内の掃除を行う必要がある。
この場合、ガス発生源の種類によってはガス内の水分が増加し、ダスト付着の進行が早く、冷却パイプ２内の掃除の頻度が上がるという問題があった。
【特許文献１】特開２００４−２１８８５１号公報
【発明の開示】
【発明が解決しようとする課題】
【０００４】
本発明は、上記従来のガスクーラの有する問題点に鑑み、冷却パイプの内面に付着するダストを除去又はその付着を防止することができるガスクーラを提供することを目的とする。
【課題を解決するための手段】
【０００５】
上記目的を達成するため、本発明のガスクーラは、高温ガスを流通させる冷却パイプを外筒内に鉛直に配備し、前記高温ガスを冷却する冷却媒体を冷却パイプと外筒との空間に流通させるようにしたガスクーラにおいて、冷却パイプの内部に索状体を垂下したことを特徴とする。
【０００６】
この場合において、索状体を、鎖状に連結したチェーンとすることができる。
【０００７】
さらに、この場合において、索状体を振動又は回転させる駆動機構を配設することができる。
【発明の効果】
【０００８】
本発明のガスクーラによれば、冷却パイプの内部に索状体を垂下するようにしたから、冷却パイプ内を通過する高温ガスの流速によって索状体が揺れることによって鎖状に連結した冷却パイプ内面に付着するダストを除去又はその付着を防止することができるガスクーラを提供することができる。
【０００９】
また、索状体を鎖状に連結したチェーンとするときは、冷却パイプの内面にダストが付着し、そのダストが索状体にまで到達したときでも、鎖状に連結したチェーンは、チェーン内の空間とチェーン同士の連結部分における９０度のズレにより生じる空間とによって冷却パイプ内を完全に閉塞することがない。
【００１０】
さらに、索状体を振動又は回転させる駆動機構を配設するときは、強制的に索状体を振動又は回転させることができ、冷却パイプ内へのダストの付着をより確実に防止することができる。
【発明を実施するための最良の形態】
【００１１】
以下、本発明のガスクーラの実施の形態を、図面に基づいて説明する。
【実施例１】
【００１２】
図１に、本発明のガスクーラの第１実施例を示す。
なお、従来と同様の構造については同一の符号、一連の符号を付し、説明を省略する。
【００１３】
このガスクーラ１は、従来と同様、高温ガスを流通させる冷却パイプ２を内部に多数配備し、冷却パイプ２の外周面に冷却媒体（以下、「冷却水」を例に説明する。）を接触させて冷却パイプ２内の高温ガスを冷却するもので、冷却パイプ２の内部に索状体１０を垂下するようにしている。
【００１４】
索状体１０は、金属製の紐状部材等を利用することができ、特に限定されるものではないが、本実施例においては、鎖状に連結されるチェーンを使用する。
鎖状に連結されているチェーンを使用することで、チェーン内の空間とチェーン同士の連結部分における９０度のズレにより生じる空間とによって、ダストによって冷却パイプ内が完全に閉塞されることがない。
【００１５】
そして、索状体１０は、冷却パイプ２を越え、給気口６に連なる給気室６ａまで垂れ下がるように配設し、給気室６ａに突出した索状体１０の下端部分１０ａに給気口６から導入される高温ガスが当たり、索状体１０が冷却パイプ２内で揺れ動くことによって冷却パイプ２の内面に索状体１０の表面が擦れ、冷却パイプ２の内面に付着するダストを除去又はその付着を防止するようにしている。
【００１６】
しかして、従来例と同様（図４参照）、本発明のガスクーラ１も電気炉などから排出される高温ガスを、ダクトを介して、給気口６から外筒３内に導入し、冷却室５内に配設する冷却パイプ２を通過する際に冷却し、所定の温度に冷却されたガスを、排気口７から集塵機に送るようにしている。
この際、ガスクーラ１内に導入される高温ガスが冷却パイプ２の内面に付着しても、高温ガスの風圧によって揺れ動く索状体１０が冷却パイプ２の内面に擦れ当たり、付着したダストを容易に除去することができる。
【実施例２】
【００１７】
次に、図２に、本発明のガスクーラの第２実施例を示す。
このガスクーラ１は、外筒３が立方体の場合に適した索状体１０を振動させるための駆動機構２０を配設するようにしている。
【００１８】
この駆動機構２０は、排気口７側の仕切り板４より上部の外筒３の側壁３ｂから列毎に配設した冷却パイプ２の中心から所定量ずらした位置に回動自在に配設する回動軸２３と、索状体１０の近傍で前記回動軸２３から延設したＬ字状の打撃バー２４とからなり、打撃バー２４を図２（ｃ）に示すような位置関係で配設することによって回動軸２３の回転に伴って索状体１０に当接と離間とを繰り返すように構成されている。
【００１９】
回動軸２３は、図２（ｂ）に示すように、１の回動軸２３にのみモータＭを配設し、他の回動軸２３は端部にギヤやプーリを配設し、伝動部材Ｃを介して回動させるように構成するほか、１の回動軸２３毎にモータＭを配設するようにしても構わない。
【００２０】
そして、ガスクーラ１の運転中適宜タイミングで駆動機構２０のモータＭを回転させ、回動軸２３を回転させることによって、打撃バー２４を索状体１０に当接させて索状体１０を強制的に振動させ、索状体１０が冷却パイプ２内で揺れ動くことによって冷却パイプ２の内面に索状体１０の表面が擦れ、冷却パイプ２の内面に付着するダストを除去又はその付着を防止するようにしている。
【実施例３】
【００２１】
次に、図３に、本発明のガスクーラの第３実施例を示す。
このガスクーラ１は、実施例２と同様に、外筒３が立方体の場合に適した索状体１０を回転又は振動させるための駆動機構２０を配設するようにしている。
【００２２】
この駆動機構２０は、図３（ａ）に示すように、排気口７側の仕切り板４より上部の外筒３の側壁３ｂから列毎の冷却パイプ２の中心に合わせた位置に配設する供給管２６と、各冷却パイプ２の中心位置の上部で供給管２６に配設するエアモータ２５と、各供給管２６に圧縮気体を供給するアキュームレータＡとからなり、エアモータ２５の回動部分に索状体１０を取り付けることによって索状体１０を回転させるようにしている。
【００２３】
そして、ガスクーラ１の運転中適宜タイミングでアキュームレータＡから圧縮気体を供給することによってエアモータ２５を回転させ、索状体１０を回転させ、索状体１０が冷却パイプ２内で揺れ動くことによって冷却パイプ２の内面に索状体１０の表面が擦れ、冷却パイプ２の内面に付着するダストを除去又はその付着を防止するようにしている。
【００２４】
この場合、エアモータ２５を電動モータとし、供給管２６内に電気配線を施すことによって索状体１０を回転させるように構成しても構わない。
【００２５】
また、図３（ｂ）に示すように、索状体１０を外筒３の天板３ａに配設する回転体２７に取り付け、回転体２７をモータＭによって回転するように構成しても構わない。
この場合、１の回転体２７にのみモータＭを配設し、他の回転体２７は端部にギヤやプーリを配設し、伝動部材Ｃを介して回動させるように構成するほか、１回転体２７毎にモータＭを配設するようにしてもよく、この場合には外筒３が円筒形状の場合にも容易に適用することができる。
【００２６】
また、図３（ｃ）に示すように、索状体１０の頂部からワイヤー等を延設し、外筒３の天板３ａに配設した回動部材２８に取り付け、索状体１０を上下に揺するようにすることもできる。
【００２７】
なお、本実施例のその他の構成及び作用は、上記第１実施例と同様である。
【００２８】
以上、本発明のガスクーラについて、複数の実施例に基づいて説明したが、本発明は上記実施例に記載した構成に限定されるものではなく、その趣旨を逸脱しない範囲において適宜その構成を変更することができるものである。
【産業上の利用可能性】
【００２９】
本発明のガスクーラは、冷却パイプ内に垂下した索状体によって冷却パイプの内面に付着するダストを除去又はその付着を防止することができるという特性を有していることから、水分が多く含まれる高温ガスを冷却する用途に好適に用いることができる。
また、適用対象も、新設のガスクーラのほか、既設のガスクーラに対しても索状体を配設することによって簡易に適用することができる。
【図面の簡単な説明】
【００３０】
【図１】本発明のガスクーラの第１実施例を示す正面からの断面図である。
【図２】同第２実施例を示し、（ａ）は一部切り欠きの正面からの断面図を、（ｂ）は（ａ）のＸ２−Ｘ２断面図を、（ｃ）は（ｂ）のＹ−Ｙ断面図を示す。
【図３】同第３実施例を示し、（ａ）は一部切り欠きの正面からの断面図を、（ｂ）は別の振動機構の例を、（ｃ）は更に別の駆動機構の例を示す。
【図４】従来のガスクーラの概要を説明する説明図である。
【図５】図４のＺ−Ｚ断面図である。
【符号の説明】
【００３１】
１    ガスクーラ
２    冷却パイプ
３    外筒
１０  索状体
２０  駆動機構
【図１】
2008256303.tif 000003
【図２】
2008256303.tif 000004
【図３】
2008256303.tif 000005
【図４】
2008256303.tif 000006
【図５】
2008256303.tif 000007